(57)【特許請求の範囲】
【請求項１】
軸方向に延びる複数の第１流路及び複数の第２流路、並びに、隣接する前記流路間を仕切る隔壁を有する柱体を備え、
前記柱体の一端面における各前記第１流路の断面積は、前記軸方向の中央部における各前記第１流路の断面積に比べて大きく、かつ、各前記第２流路は、前記一端面において閉じられ、
各前記第１流路は、前記柱体の他端面において閉じられ、
少なくとも１つの前記第１流路の軸方向の中央部において、前記第１流路を形成し、隣接する一対の前記隔壁間に形成される隅部は、前記第１流路内に向かって突出しかつ前記軸方向に延びる第１突出部を有し、
前記柱体の軸方向中央部において、前記第１流路は、３つの前記第２流路及び３つの前記第１流路と隣接し、
前記第２流路は、６つの前記第１流路と隣接する、ハニカムフィルタ。
【請求項２】
軸方向に延びる複数の第１流路及び複数の第２流路、並びに、隣接する前記流路間を仕切る隔壁を有する柱体を備え、
前記柱体の一端面における各前記第１流路の断面積は、前記軸方向の中央部における各前記第１流路の断面積に比べて大きく、かつ、各前記第２流路は、前記一端面において閉じられ、
各前記第１流路は、前記柱体の他端面において閉じられ、
少なくとも１つの前記第１流路の軸方向の中央部において、前記第１流路を形成し、隣接する一対の前記隔壁間に形成される隅部は、前記第１流路内に向かって突出しかつ前記軸方向に延びる第１突出部を有し、
前記柱体の軸方向中央部において、前記第１流路は、２つの前記第２流路及び４つの前記第１流路と隣接し、
前記第２流路は、６つの前記第１流路と隣接する、ハニカムフィルタ。
【請求項３】
軸方向に延びる複数の第１流路及び複数の第２流路、並びに、隣接する前記流路間を仕切る隔壁を有する柱体を備え、
前記柱体の一端面における各前記第１流路の断面積は、前記軸方向の中央部における各前記第１流路の断面積に比べて大きく、かつ、各前記第２流路は、前記一端面において閉じられ、
各前記第１流路は、前記柱体の他端面において閉じられ、
少なくとも１つの前記第１流路の軸方向の中央部において、前記第１流路を形成し、隣接する一対の前記隔壁間に形成される隅部は、前記第１流路内に向かって突出しかつ前記軸方向に延びる第１突出部を有し、
前記柱体の軸方向中央部において、前記第１流路は、４つの前記第２流路及び４つの前記第１流路と隣接し、
前記第２流路は、４つの前記第１流路と隣接し、
前記第１流路の断面形状は、八角形の各頂点を内部に向かって突出させた形状を有する、ハニカムフィルタ。
【請求項４】
前記隅部を形成する前記一対の前記隔壁の一方は、前記第１流路と前記第２流路とを隔てる、請求項１〜３のいずれか１項に記載のハニカムフィルタ。
【請求項５】
前記柱体の他端面における各前記第２流路の断面積は、前記軸方向の中央部における各前記第２流路の断面積に比べて大きく、かつ、各前記第１流路は、前記他端面において閉じられ、
少なくとも１つの前記第２流路の軸方向の中央部において、前記第２流路を形成し、隣接する一対の前記隔壁間に形成される隅部は、前記第２流路内に向かって突出しかつ前記軸方向に延びる第２突出部を有する、請求項１〜４のいずれか一項に記載のハニカムフィルタ。
【請求項６】
少なくとも１つの前記第１流路の軸方向の中央部において、少なくとも１つの前記隔壁は、前記第１流路内又は前記第２流路に向かって突出しかつ前記隔壁の中央部を前記軸方向に延びる第３突出部を有する、請求項１〜５のいずれか１項に記載のハニカムフィルタ。
【発明の詳細な説明】
【技術分野】
【０００１】
本発明は、ハニカムフィルタ及びハニカムフィルタの製造方法に関する。
【背景技術】
【０００２】
従来より、ディーゼルパティキュレートフィルタ等として知られる、セラミクス製の多孔質のハニカムフィルタが知られている。このハニカムフィルタでは、一端又は他端のいずれか一方が封口された多数の流路が隔壁により形成されている。このようなハニカムフィルタは、セラミクス粉又はセラミクス原料を含む材料で多数の貫通孔を有する成形体を準備し、この成形体の各端面において特定の貫通孔を封口し、その後、封口された成形体を焼成して製造される。
【先行技術文献】
【特許文献】
【０００３】
【特許文献１】特開２００５−１１８７４７号公報
【特許文献２】特表２００９−５３２１９７号公報
【発明の概要】
【発明が解決しようとする課題】
【０００４】
ところで、特定の貫通孔を封口する方法として、封口しない貫通孔の断面積を大きくなるように隔壁を変形させて、封口すべき貫通孔側で隔壁同士を圧着させて封口する方法が考えられる。【０００５】
しかしながら、この方法では、上記の変形をさせる際に、流路を隔てる隔壁に亀裂が生じ、隔壁同士を圧着させても亀裂が残る場合があった。【０００６】
本発明は、上記課題に鑑みてなされたものであり、亀裂の発生しにくいハニカムフィルタ及びその製造方法を提供することを目的とする。
【課題を解決するための手段】
【０００７】
本発明に係るハニカムフィルタは、軸方向に延びる複数の第１流路及び複数の第２流路、並びに、隣接する前記流路間を仕切る隔壁を有する柱体を備える。【０００８】
前記柱体の一端面における各前記第１流路の断面積は、前記軸方向の中央部における各前記第１流路の断面積に比べて大きく、かつ、各前記第２流路は、前記一端面において閉じられている。【０００９】
少なくとも１つの前記第１流路の軸方向の中央部において、前記第１流路を形成し、隣接する一対の前記隔壁間に形成される隅部は、前記第１流路内に向かって突出しかつ前記軸方向に延びる第１突出部を有する。【００１０】
本発明のハニカムフィルタは、一対の隔壁間に第１突出部を有するハニカム成形体を成形し、一端側においてその成形体の第１流路の断面積を拡大するように隔壁を変形させて第２流路側で隔壁同士を圧着させて第２流路を封口し、その後焼成することによって得ることができる。第１突出部により隔壁変形の際に亀裂が入ることが抑制される。したがって、亀裂の少ないハニカムフィルタが得られる。【００１１】
ここで、前記隅部を形成する前記一対の前記隔壁の一方は、前記第１流路と前記第２流路とを隔てることができる。第１流路と第２流路とを隔てる隔壁は出口側流路と入口側流路とを隔てる隔壁を意味し、この隔壁は封口の際に変形されるため隅部に応力が掛かりやすい。したがって、本発明の効果が高い。【００１２】
また、前記柱体の他端面における各前記第２流路の断面積は、前記軸方向の中央部における各前記第２流路の断面積に比べて大きく、かつ、各前記第１流路は、前記他端面において閉じられ、少なくとも１つの前記第２流路の軸方向の中央部において、前記第２流路を形成し、隣接する一対の前記隔壁間に形成される隅部は、前記第２流路内に向かって突出しかつ前記軸方向に延びる第２突出部を有することができる。【００１３】
このハニカムフィルタは、さらに、焼成前に、他端側においてその成形体の第２流路の断面積を拡大するように隔壁を変形させ、第１流路側で隔壁同士を圧着させて第１流路を封口することによって得ることができる。第２突出部によりさらなる隔壁変形の際に亀裂が入ることも抑制される。【００１４】
また、前記柱体の軸方向中央部において、前記第１流路は、３つの前記第２流路及び３つの前記第１流路と隣接し、前記第２流路は、６つの前記第１流路と隣接することができる。【００１５】
また、前記柱体の軸方向中央部において、前記第１流路は、２つの前記第２流路及び４つの前記第１流路と隣接し、前記第２流路は、６つの前記第１流路と隣接することができる。【００１６】
また、前記柱体の軸方向中央部において、前記第１流路は、４つの前記第２流路及び４つの前記第１流路と隣接し、前記第２流路は、４つの前記第１流路と隣接することもできる。【００１７】
また、少なくとも１つの前記第１流路の軸方向の中央部において、少なくとも１つの前記隔壁は、前記第１流路内又は前記第２流路に向かって突出しかつ前記隔壁の中央部を前記軸方向に延びる第３突出部を有することができる。【００１８】
この場合、隔壁中央部が変形する際の亀裂を抑制できる。【００１９】
本発明に係るハニカムフィルタの製造方法は、軸方向に延びる複数の第１流路及び複数の第２流路、並びに、隣接する前記流路間を仕切る隔壁を有する柱体を備え、少なくとも１つの前記第１流路の軸方向の中央部において、前記第１流路を形成し、隣接する一対の前記隔壁間に形成される隅部は、前記第１流路内に向かって突出する第１突出部を有する、ハニカム成形体を準備する工程と、
前記ハニカム成形体の各前記第１流路内に治具を挿入して断面積を拡大させ、各前記第２流路側で隔壁同士を圧着させて各前記第２流路を封口する工程と、を備える。
【発明の効果】
【００２０】
本発明によれば、亀裂の発生しにくいハニカムフィルタ及びその製造方法が提供される。
【図面の簡単な説明】
【００２１】
【図１】図１は第１実施形態に係るハニカムフィルタの斜視図である。
【図２】図２は図１のハニカムフィルタの軸方向中央部のＩＩ−ＩＩ断面図である。
【図３】図３は、図２の拡大図である。
【図４】図４の（ａ）は、図１の入口側端面１０Ｅｉｎの拡大図、図４の（ｂ）は図４の（ａ）のｂ−ｂ断面図である。
【図５】図５の（ａ）は、図１の出口側端面１０Ｅｏｕｔの拡大図、図５の（ｂ）は図５の（ａ）のｂ−ｂ断面図である。
【図６】図６は、第１実施形態に係るハニカムフィルタの製造方法を示す模式図である。
【図７】図７は、成形体の入口側流路７０Ｈｉｎを拡大して出口側流路７０Ｈｏｕｔを封口する際の様子を示す、成形体の軸方向中央部の断面図である。
【図８】図８は、第２実施形態に係るハニカムフィルタの軸方向中央部の断面図である。
【図９】図９は、第２実施形態に係るハニカムフィルタの入口側端面１０Ｅｉｎの拡大図である。
【図１０】図１０は、図１の出口側端面１０Ｅｏｕｔの拡大図である。
【図１１】図１１は、第３実施形態に係るハニカムフィルタの軸方向中央部の断面図である。
【図１２】図１２は、第４実施形態に係るハニカムフィルタの軸方向中央部の拡大断面図である。
【発明を実施するための形態】
【００２２】
図面を参照しながら本発明の第１実施形態について説明する。
（第１実施形態）
本実施形態に係るハニカムフィルタ１００は、図１に示すような円柱体１０を備える。円柱体１０は、入口側端面１０Ｅｉｎ及び出口側端面１０Ｅｏｕｔを有する。
【００２３】
図２は、円柱体１０の軸方向の中央部ＣＰの断面である。円柱体１０は、多数の入口側流路７０Ｈｉｎ及び多数の出口側流路７０Ｈｏｕｔを有する。本実施形態では、１つの入口側流路７０Ｈｉｎが３つの他の入口側流路７０Ｈｉｎと隣接し、かつ、３つの出口側流路７０Ｈｏｕｔと隣接するように、入口側流路７０Ｈｉｎ及び出口側流路７０Ｈｏｕｔが規則的に配置されている。１つの出口側流路７０Ｈｏｕｔは６つの入口側流路７０Ｈｉｎと隣接し、他の出口側流路７０Ｈｏｕｔとは隣接しない。各流路は、合計６つの流路とそれぞれ隔壁を介して隣接している。
【００２４】
図３は図２の拡大図である。隣接する流路間にはこれらを仕切るそれぞれ隔壁Ｗが設けられており、隔壁Ｗの集合体が円柱体１０を構成する。
【００２５】
出口側流路７０Ｈｏｕｔは、６つの隔壁Ｗにより形成され、その断面形状は略六角形である。入口側流路７０Ｈｉｎは、６つの隔壁Ｗにより形成されている。入口側流路７０Ｈｉｎにおいて、隣接する一対の隔壁Ｗ間にできる隅部Ｃには、それぞれ、入口側流路７０Ｈｉｎ内に向かって突出する突出部（第１突出部）ＷＰが形成されている。したがって、入口側流路７０Ｈｉｎの断面形状は、六角形の各頂点を内部に向かって突出させた形状を有する。各突出部ＷＰは、円柱体１０（流路）の軸方向に延びている。
【００２６】
突出部ＷＰの高さは特に限定されないが、例えば、突出部ＷＰの底部両端を結ぶ線Ｌ１からの突出高さＨＴが０．０４〜０．２０ｍｍであることができる。また、一対の隔壁Ｗの突出部以外の部分を結んでできる点Ｑ、入口側流路７０Ｈｉｎの重心Ｇ、点Ｑと重心Ｇとを結ぶ線Ｌ２と突出部ＷＰの最外部との交点Ｓを定めたとき、点Ｑと交点Ｓとの距離は、０．１〜０．３ｍｍとすることができる。
【００２７】
次に、図４の（ａ）及び（ｂ）を参照して、入口側の構造を示す。入口側（一端側）端面１０Ｅｉｎにおいては軸方向の中央部に比べて、入口側流路７０Ｈｉｎの断面積が大きくされている。その一方、出口側（他端側）流路７０Ｈｏｕｔの断面積は０となり、閉じられている。具体的には、図２のように軸方向中央部で略六角形であった入口側流路７０Ｈｉｎの断面形状がそれぞれ三角形になるように拡大され、各三角形の頂点が出口側流路７０Ｈｏｕｔの中心に到達し、これにより、出口側流路７０Ｈｏｕｔが封口されている。言い換えると、入口側流路７０Ｈｉｎは、入口側端面１０Ｅｉｎにおいて、入口側端面１０Ｅｉｎに向かうほど断面積が大きくなるテーパー部を有している。
【００２８】
次に、図５の（ａ）及び（ｂ）を参照して、出口側の構造を示す。出口側端面１０Ｅｏｕｔにおいては軸方向の中央部に比べて、出口側流路７０Ｈｏｕｔの断面積が大きくされている。その一方、入口側流路７０Ｈｉｎの断面積は０とされ、閉じられている。具体的には、図２のように軸方向中央部で略六角形であった出口側流路７０Ｈｏｕｔの断面形状がそれぞれ辺の部分が角になるような六角形に拡大され、各六角形の頂点が入口側流路７０Ｈｉｎの中心に到達し、これにより、入口側流路７０Ｈｉｎが封口されている。言い換えると、出口側流路７０Ｈｏｕｔは、出口側端面１０Ｅｏｕｔにおいて、出口側端面１０Ｅｏｕｔに向かうほど断面積が大きくなるテーパー部を有している。
【００２９】
円柱体の材料は多孔質セラミックである。セラミックの例は、チタン酸アルミニウム、炭化ケイ素、コージェライトである。チタン酸アルミニウムは、マグネシウムやケイ素などを含むことができる。
【００３０】
このようなハニカムフィルタは以下の方法により製造出来る。まず、セラミック原料を押出成形機により押出成形して、図２のような断面形状を有するハニカム成形体を製造する。このハニカム成形体は、未封口の入口側流路７０Ｈｉｎ及び未封口の出口側流路７０Ｈｏｕｔをそれぞれ貫通した状態で有し、未封口の入口側流路７０Ｈｉｎに突出部７０ＷＰを有する。
【００３１】
セラミック原料の組成は、焼成後に多孔質のセラミックを与える物であればよい。例えば、セラミック原料と、有機バインダと、造孔剤と、溶媒と、必要に応じて添加される添加物を含むことができる。
【００３２】
セラミック原料は、セラミクスを構成する元素を含有する粉末である。バインダは、有機バインダであることができ、メチルセルロース、カルボキシルメチルセルロース、ヒドロキシアルキルメチルセルロース、ナトリウムカルボキシルメチルセルロースなどのセルロース類；ポリビニルアルコールなどのアルコール類；リグニンスルホン酸塩を例示できる。添加物としては、例えば、潤滑剤および可塑剤、分散剤が挙げられる。
【００３３】
続いて、図６に示すように、得られた未焼成のハニカム成形体１００’の入口側端面１０Ｅｉｎにおいて、出口側流路７０Ｈｏｕｔを封口する。具体的には、三角錐形状の多数の突起４１０ａを有する封口用治具４００を用意する。そして、各突起４１０ａが入口側流路７０Ｈｉｎ内に入るように、封口用治具４００を移動させる。これにより、図７に示すように、入口側流路７０Ｈｉｎの隔壁が変形され、流路の断面積が拡大される一方、出口側流路７０Ｈｏｕｔの断面積が縮小される。そして、最終的には、図４の（ａ）及び（ｂ）に示すように、入口側流路７０Ｈｉｎの断面形状は三角形となり、出口側流路７０Ｈｏｕｔで隔壁同士が完全に圧着し、出口側流路７０Ｈｏｕｔは封止される。すなわち、出口側流路７０Ｈｏｕｔは入口側端面１０Ｅｉｎにおいて閉じられる。なお、封口用治具４００に対して振動や超音波を与えても良い。
【００３４】
次に、同様に、出口側端面１０Ｅｏｕｔの入口側流路７０Ｈｉｎを別の封口用治具で封口する。出口側流路７０Ｈｏｕｔに挿入する封口用治具の突起は、六角錐形状とすることができる。その後、必要に応じて乾燥した後、両端面を封口済のハニカム成形体１００’を焼成することにより、本実施形態に係るハニカムフィルタ１００が得られる。
【００３５】
本実施形態によれば、入口側流路７０Ｈｉｎの一対の隔壁Ｗ間に突出部ＷＰが設けられている。このため、入口側流路７０Ｈｉｎの断面積を拡大するように隔壁を変形して出口側流路７０Ｈｏｕｔを閉鎖する際に、隔壁Ｗ、特に変形前の隅部に亀裂が入りにくくなる。したがって、欠陥の少ないハニカムフィルタを製造することができる。
【００３６】
（第２実施形態）
続いて、図８〜図１０を参照して、第２実施形態に係るハニカムフィルタ１０２について説明する。第１実施形態と同じ点は説明を省略する。図８は、本実施形態に係るハニカムフィルタ１０２の軸方向中央部における断面を示す。第１実施形態に係るハニカムフィルタ１００とは異なり、本実施形態では、１つの入口側流路７０Ｈｉｎが４つの他の入口側流路７０Ｈｉｎと隣接し、かつ、２つの出口側流路７０Ｈｏｕｔと隣接するように、入口側流路７０Ｈｉｎ及び出口側流路７０Ｈｏｕｔが規則的に配置されている。１つの出口側流路７０Ｈｏｕｔは６つの入口側流路７０Ｈｉｎと隣接し、他の出口側流路７０Ｈｏｕｔとは隣接しない。従って、各流路は合計６つの流路に隣接している。
【００３７】
入口側流路７０Ｈｉｎにおいて、一対の隔壁Ｗ間にできる隅部には、それぞれ、入口側流路７０Ｈｉｎ内に向かって突出する突出部ＷＰが形成されている。ここで、本実施形態においては、入口側流路７０Ｈｉｎと入口側流路７０Ｈｉｎとを隔てる隔壁Ｗｉｉと、入口側流路７０Ｈｉｎと出口側流路７０Ｈｏｕｔとを隔てる隔壁Ｗｉｏとの間の隅部に突出部ＷＰが設けられ、隔壁Ｗｉｉと隔壁Ｗｉｉとの間の隅部には突出部ＷＰは設けられていない。したがって、入口側流路７０Ｈｉｎの断面形状は、対向する２つの頂点以外の４つの頂点を内部に向かって突出させた形状を有する。
【００３８】
次に、図９を参照して、入口側の構造を示す。入口側端面１０Ｅｉｎにおいては軸方向の中央部に比べて、入口側流路７０Ｈｉｎの断面積が大きくされている。その一方、出口側流路７０Ｈｏｕｔの断面積は０とされている。具体的には、軸方向中央部における入口側流路７０Ｈｉｎの断面形状である略六角形が、その対向する２辺が拡げられてそれぞれ略菱形になるように拡大され、各菱形の頂点は出口側流路７０Ｈｏｕｔの中心上に到達し、これにより、出口側流路７０Ｈｏｕｔが封口されている。
【００３９】
次に、図１０を参照して、出口側の構造を示す。出口側端面１０Ｅｏｕｔにおいては軸方向の中央部に比べて、出口側流路７０Ｈｏｕｔの断面積が大きくされている。その一方、入口側流路７０Ｈｉｎの断面積は０とされている。具体的には、軸方向中央部における出口側流路７０Ｈｏｕｔの断面形状である六角形がそのまま拡大され、各六角形の頂点は入口側流路７０Ｈｉｎの中心上に到達し、これにより、入口側流路７０Ｈｉｎが封口されている。
【００４０】
このようなハニカムフィルタは、図８のような形状の突出部ＷＰを有するハニカム成形体を成型した後に、第１実施形態と同様に封口すればよい。
【００４１】
本実施形態においても、突出部ＷＰにより、亀裂の発生を抑制できる。
【００４２】
（第３実施形態）
続いて、図１１を参照して、第３実施形態に係るハニカムフィルタ１０４について説明する。第１実施形態と同じ点は説明を省略する。図１１は、本実施形態に係るハニカムフィルタ１０４の軸方向中央部における断面を示す。第１実施形態に係るハニカムフィルタ１００とは異なり、本実施形態では、１つの入口側流路７０Ｈｉｎが４つの他の入口側流路７０Ｈｉｎと隣接し、かつ、４つの出口側流路７０Ｈｏｕｔと隣接するように、入口側流路７０Ｈｉｎ及び出口側流路７０Ｈｏｕｔが規則的に配置されている。１つの出口側流路７０Ｈｏｕｔは４つの入口側流路７０Ｈｉｎと隣接し、他の出口側流路７０Ｈｏｕｔとは隣接しない。
【００４３】
出口側流路７０Ｈｏｕｔは、４つの隔壁Ｗにより形成され、その断面形状は略四角形である。入口側流路７０Ｈｉｎは、８つの隔壁Ｗにより形成されている。入口側流路７０Ｈｉｎにおいて、一対の隔壁Ｗ間にできる隅部Ｃには、それぞれ、入口側流路７０Ｈｉｎ内に向かって突出する突出部ＷＰが形成されている。したがって、入口側流路７０Ｈｉｎの断面形状は、八角形の各頂点を内部に向かって突出させた形状を有する。
【００４４】
図示は省略するが、入口側端面においては、出口側流路７０Ｈｏｕｔの断面積が、入口側流路７０Ｈｉｎを閉鎖するように、４つの入口側流路７０Ｈｉｎ内に頂点がそれぞれある四角形に拡大される。また、出口側端面においては、入口側流路７０Ｈｉｎの断面積が、出口側流路７０Ｈｏｕｔを閉鎖するように、４つの出口側流路７０Ｈｏｕｔ内に頂点がそれぞれある四角形に拡大される。
【００４５】
本実施形態においても、突出部ＷＰにより、亀裂の発生を抑制できる。
【００４６】
（第４実施形態）
続いて、図１２を参照して、第４実施形態に係るハニカムフィルタ１０５について説明する。第１実施形態と同じ点は説明を省略する。図１２は、本実施形態に係るハニカムフィルタ１０５の軸方向中央部における拡大断面を示す。第１実施形態に係るハニカムフィルタ１００とは異なり、本実施形態では、隔壁Ｗが平板状でなく、入口側流路７０Ｈｉｎ側の面の断面形状が波板である。隣接する一対の隔壁Ｗ間にできる隅部Ｃには、突出部ＷＰａ又は突出部ＷＰｂが設けられている。突出部ＷＰａの底部両端を結ぶ線からの突出高さＨＴａ、及び、突出部ＷＰｂの底部両端を結ぶ線からの突出高さＨＴｂは、それぞれ、０．０４〜０．２０ｍｍであることができ、互いに異なることができる。これらの突出部ＷＰａ及び突出部ＷＰｂは入口側流路７０Ｈｉｎ内に向かって突出し、それぞれ軸方向に伸びている。また、隔壁Ｗは、入口側流路７０Ｈｉｎ内に向かって突出しかつ隔壁Ｗの中央部を軸方向に延びる突出部ＷＰ３（第３突出部）を有する。
【００４７】
本実施形態においても、突出部ＷＰａ及び突出部ＷＰｂにより、亀裂の発生を抑制できる。
【００４８】
なお、本発明は上記実施形態に限定されず様々な変形態様が可能である。
例えば、突出部ＷＰの配置は適宜変更することができる。突出部ＷＰは、出口側流路７０Ｈｏｕｔと入口側流路７０Ｈｉｎとを隔てる隔壁と、他の隔壁（例えば、出口側流路７０Ｈｏｕｔと入口側流路７０Ｈｉｎとを隔てる隔壁、出口側流路７０Ｈｏｕｔ同士を隔てる隔壁、及び、入口側流路７０Ｈｉｎ同士を隔てる隔壁の内のいずれでもよい）との間に形成される隅部に設けられることが好ましい。出口側流路７０Ｈｏｕｔと入口側流路７０Ｈｉｎとを隔てる隔壁は封口の際に変形されるため、隅部に応力が掛かりやすいからである。
【００４９】
また、上記実施形態では、入口側流路７０Ｈｉｎ内にのみ突出部ＷＰが設けられていたが、例えば、図３及び図１１にて点線で示すように、出口側流路７０Ｈｏｕｔ内の隔壁間の隅部に出口側流路７０Ｈｏｕｔ内に突出し軸方向に延びる突出部（第２突出部）ＷＰ２が設けられていても良い。この場合、出口側流路７０Ｈｏｕｔを変形して入口側流路７０Ｈｉｎを封口する際に、亀裂の抑制が可能となる。
【００５０】
また、図３、図８、図１１、及び図１２に示すように、少なくとも１つの入口側流路（第１流路）の軸方向の中央部において、少なくとも１つの隔壁Ｗが、入口側流路内又は出口側流路（第２流路）に向かって突出しかつ隔壁Ｗの中央部を軸方向に延びる突出部ＷＰ３（第３突出部）を有することもできる。この場合、隔壁の中央部が変形する場合の亀裂の抑制が可能である。
【００５１】
また、入口側流路及び出口側流路の配置、すなわち各流路に隣接する流路の数も、上記実施形態に限定されない。なお、本明細書において、「２つの流路が隣接する」ことは、２つの流路が１つの隔壁を介して隔壁の厚み方向に隔てられることを意味することができる。いわゆるスクエア流路配置において斜めの関係に位置する２つの流路は互いに隣接する流路ではない。
【００５２】
また、流路の断面形状も特に上記実施形態に限定されず隅部のある形状であればよい。また、突出部の断面形状も、円の一部すなわち円弧を有する形状に限定されず、三角形、四角形等の多角形の一部を有する形状でも良いし、楕円の一部を有する形状であってもよい。
【００５３】
さらに、フィルタの外形形状も円柱体でなくても良く、例えば、四角柱でもよい。セル密度は、例えば、２００〜４００ｃｐｓｉとすることができる。
【符号の説明】
【００５４】
７０Ｈｉｎ…入口側流路（第１流路）、７０Ｈｏｕｔ…出口側流路（第２流路）、ＷＰ…突出部（第１突出部、第２突出部）、１０…円柱体（柱体）、Ｗ…隔壁、Ｃ…隅部、ＣＰ…中央部、１００…ハニカムフィルタ。
【図１】
0006596413.tif 000002
【図２】
0006596413.tif 000003
【図３】
0006596413.tif 000004
【図４】
0006596413.tif 000005
【図５】
0006596413.tif 000006
【図６】
0006596413.tif 000007
【図７】
0006596413.tif 000008
【図８】
0006596413.tif 000009
【図９】
0006596413.tif 000010
【図１０】
0006596413.tif 000011
【図１１】
0006596413.tif 000012
【図１２】
0006596413.tif 000013